(57)【要約】【課題】  大便器に着座した状態の姿勢保持動作をサポートするだけでなく、大便器への着座動作から大便器からの立ち上がり動作も安定してサポートできるトイレ用手摺装置を提供すること。【解決手段】  このトイレ用手摺装置１は、第一のロック位置５と第二のロック位置６とを有し、第一のロック位置５は、大便器１１０に着座した状態をサポートし、第二のロック位置６は、大便器１１０からの立ち上がりをサポートし、第二のロック位置６において把持部２が大便器１１０との距離が少なくとも２点以上等しくなる把持部等距離手段１０を有することで大便器に着座した状態の姿勢保持動作と大便器への着座動作から大便器からの立ち上がり動作も安定してサポートすることができる構成となっている。【選択図】  図７
2015160036.tif 000002
【特許請求の範囲】
【請求項１】
腰掛式の大便器が設けられたトイレルーム内に取り付けられ、トイレルーム内に入室した車椅子使用者の動作をサポートするトイレ用手摺装置であって、
使用者が把持する把持部と、
前記把持部の一端側に設けられ、前記把持部を大便器の前方スペースにおいて水平方向に回動させる回動軸部と、
前記把持部の回動を所定の位置でロックさせるロック機構と、を備え、
前記ロック機構は、
大便器に着座した使用者が着座姿勢を保持するために、大便器に着座した使用者の脚部上方であって、大便器の左右方向と略平行な位置で前記把持部の回動をロックさせる第一のロック位置と、
大便器への着座動作や大便器からの立ち上がり動作するための第一のスペースが形成されるよう前記第一のロック位置よりも大便器の前方側の位置で前記把持部の回動をロックさせる第二のロック位置と、を有しており、
前記把持部は、前記第二のロック位置の前記把持部と大便器の左右方向に直交する距離が少なくとも２点以上等しくなるような把持部等距離手段を有したことを特徴とするトイレ用手摺装置。
【請求項２】
前記把持部等距離手段は、前記第一のロック位置において、前記把持部を大便器の左右方向と直交する距離が異なる第一の把持部と第二の把持部となるよう構成し、
前記第二の把持部は、前記第一の把持部よりも大便器に近い位置となるよう構成したことを特徴とする請求項１記載のトイレ用手摺装置。
【請求項３】
前記把持部は、前記把持部の上面の前方側が前方側上方に傾斜することで使用者が大便器から立ち上がる際の上方への移動をアシストする移動アシスト部を設けたことを特徴とする請求項２記載のトイレ用手摺装置。
【請求項４】
使用者が把持する前記把持部の上面に対向する前方側の下面は、使用者が前記把持部を把持した際に指が掛かるような上面側に凹形状となる指掛け部を設けたことを特徴とする請求項２記載のトイレ用手摺装置。
【請求項５】
使用者が把持する前記把持部の上面に対向する前方側の下面は、使用者が前記把持部を把持した際に指が掛かるよう前記把持部の前方側の前記下面から後方側斜め上方に傾斜した指掛け部を設けたことを特徴とする請求項２記載のトイレ用手摺装置。
【発明の詳細な説明】
【技術分野】
【０００１】
本発明は、腰掛式の大便器が設けられたトイレルーム内に入室した車椅子使用者の大便器使用に伴う動作をサポートするトイレ用手摺装置に関する。
【背景技術】
【０００２】
近年、トイレルームには、大便器使用に伴う動作をサポートするトイレ用手摺装置が広く普及している。
【０００３】
特許文献１には、使用者が把持する把持部と、把持部の一端側に設けられ、把持部を水平方向に回動させる回動軸部と、把持部の回動を所定の位置でロックさせるロック機構とを備えたトイレ用手摺装置が開示されている。この特許文献１のロック機構は、大便器に着座した使用者が把持部を掴んで着座姿勢を保持するために、大便器に着座した使用者の脚部上方であって、大便器の左右方向と略平行な位置で把持部の回動をロックできることが開示されている。また、トイレ用手摺装置の不使用時に把持部が邪魔にならないようにするために、トイレルームの側壁面に沿う位置で把持部の回動をロックできることが開示されている。
【０００４】
例えば、車椅子使用者が上記特許文献１に記載されたトイレ用手摺装置を用いた場合、把持部の回動を上述した大便器に着座した使用者の脚部上方であって、大便器の左右方向と略平行な位置でロックさせることで、大便器に着座した使用者が把持部を掴んで着座姿勢を保持することができる。また、トイレ用手摺装置の不使用時においては、トイレルームに沿う位置で把持部の回動をロックできるため、移動スペースを十分に確保することができる。
【先行技術文献】
【特許文献】
【０００５】
【特許文献１】特開２００７−１８５２６７号公報
【発明の開示】
【発明が解決しようとする課題】
【０００６】
上記特許文献１に記載されたトイレ用手摺装置は、上述した通り、大便器に着座した状態の姿勢保持動作をサポートすることや移動スペースを十分に確保することができるが、大便器への着座や立ち上がりをサポートすることは考えられておらず、この移動動作においては介護者の補助が必要となっていた。
【０００７】
本発明者らは、トイレ用手摺装置を不使用時の移動スペースの確保することや大便器に着座した状態の姿勢保持動作のサポートだけでなく、大便器への着座動作から大便器からの立ち上がり動作までの移動動作もサポートできるトイレ用手摺装置を提供することを目的として鋭意検討を行った。具体的には、把持部を回動させて移動スペースや着座動作に必要なスペースおよび立ち上がり動作に必要なスペースを確保するとともに大便器からの立ち上がりをサポートするトイレ用手摺装置を提供することを目指した。
【０００８】
大便器への着座動作や大便器からの立ち上がり動作に必要なスペースを確保するために把持部を回動させた位置でロックすることで、着座動作時に把持部が回動しすぎて把持部に押されるようにして後方側の大便器に倒れ込むことを防止することや、立ち上がり動作に必要なスペースや移動スペースを確保することができるためトイレ用手摺装置がそれぞれの動作の邪魔になることが無いが、着座動作や立ち上がり動作時に必要となるスペースを確保した状態で把持部をロックしてしまうと、大便器からの立ち上がり時に大便器と把持部の距離が遠い所と近い所が発生してしまう。大便器と把持部との距離が遠い所と近い所が発生すると、使用者が把持部を掴んで立ち上がり動作を行う際に、一方側の腕は肘が伸びた状態で把持部を掴み、他方側の腕は肘が曲がった状態で把持部を掴むことになり把持部への力の加え易さが変わってしまう。このように使用者の両腕で把持部への力の加え易さが変わってしまうと、足の筋力が比較的に弱い車椅子使用者は、腕のみで体重を支えることができなくなり、体の重心を保つことができなくなり転倒してしまうという新たな課題が発生した。
【０００９】
本発明は、上述した課題に鑑みてなされたものであり、大便器に着座した状態の姿勢保持動作をサポートするだけでなく、大便器への着座動作から大便器からの立ち上がり動作まで安定してサポートできるトイレ用手摺装置を提供することを目的としたものである。
【課題を解決するための手段】
【００１０】
上記課題を解決するために、本発明に係るトイレ用手摺装置は、腰掛式の大便器が設けられたトイレルーム内に取り付けられ、トイレルーム内に入室した車椅子使用者の動作をサポートするトイレ用手摺装置であって、使用者が把持する把持部と、把持部の一端側に設けられ、把持部を大便器の前方スペースにおいて水平方向に回動させる回動軸部と、把持部の回動を所定の位置でロックさせるロック機構と、を備え、ロック機構は、大便器に着座した使用者が着座姿勢を保持するために、大便器に着座した使用者の脚部上方であって、大便器の左右方向と略平行な位置で把持部の回動をロックさせる第一のロック位置と、大便器への着座動作や大便器からの立ち上がり動作するための第一のスペースが形成されるよう第一のロック位置よりも大便器の前方側の位置で把持部の回動をロックさせる第二のロック位置と、を有しており、把持部は、第二のロック位置の把持部と大便器の左右方向に直交する距離が少なくとも２点以上等しくなるような把持部等距離手段を有したことを特徴とする。
【００１１】
第一の発明は、大便器に着座した使用者の脚部上方であって、大便器の左右方向と略平行な位置で把持部の回動をロックさせる第一のロック位置を設けることで、使用者は大便器に座った状態で把持部を掴んで大便器に着座した状態を保持することができる。
【００１２】
また、大便器への着座動作や大便器からの立ち上がり動作のための第一のスペースが形成されるよう第一のロック位置よりも大便器の前方側の位置で把持部の回動をロックさせる第二のロック位置を設けることで、車椅子使用者の大便器への着座動作時においては、第一のスペースを確保しているため、把持部が回動しすぎて着座動作に必要なスペースがなくなり把持部に押されるようにして大便器に倒れ込むことを防止することができる。さらに、大便器からの立ち上がり動作においても第一のスペースを有していることから、立ち上がり動作に必要なスペースを確保することができ、安定した状態で立ち上がり動作を行うことができる。
【００１３】
さらに、把持部は、第二のロック位置の把持部と大便器の左右方向に直交する距離が少なくとも２点以上等しくなるような把持部等距離手段を有したことで、第一のロック位置よりも前方側でロックした第二のロック位置においても大便器からの距離が等しくなった点を掴むことによって使用者は両腕の肘が伸びた状態で立ち上がり動作を行うことができる。そのため、一方の腕の力を利用できなくなることがなく、両腕で立ち上がり動作ができることで、足の筋力が比較的弱くなった車椅子使用者であっても両腕で体重を支え、体の重心が左右方向に移動することを抑制することができるため転倒することを防止できる。
上記のように、第一のロック位置と第二のロック位置と把持部等距離手段を設けることで、車椅子使用者の大便器への着座動作から、大便器からの立ち上がり動作の間の全ての動作をサポートすることができる。このようなトイレ用手摺装置を提供することで、車椅子使用者は一人で大便器への着座動作から大便器からの立ち上がり動作の全ての動作を行うことができる。
【００１４】
第二の発明の把持部等距離手段は、第一のロック位置において、把持部を大便器の左右方向と直交する距離が異なる第一の把持部と第二の把持部となるよう構成し、
第二の把持部は、第一の把持部よりも大便器に近い位置となるよう構成したことを特徴とする。
【００１５】
把持部を回動させる回動軸部とは別に把持部のみを回転させるような機構を設け、第二のロック位置で把持部のみを回転させて、大便器の左右方向と直交する距離を等しくすることも考えられるが、このようにすると、使用者は大便器から立ち上がる第一のスペースを確保するために把持部を大便器の前方側に回動させ、さらに第二のロック位置で把持部のみを回転させなければならず、立ち上がり動作時に複数の動作を行わなければならない。このように、立ち上がるための立ち上がり動作が複数になってしまうと、大便器に着座している状態であっても重心が移動し、大便器から転倒する恐れがある。そこで、大便器に着座している状態であっても、立ち上がりに必要な動作は少ない方が好ましい。そこで、第一のロック位置において、大便器との距離が遠い第一の把持部と大便器との距離が近い第二の把持部とを設けることで、第二のロック位置である大便器の左右方向に対して斜めの位置でロックした場合であっても大便器の左右方向と直交する距離を少なくとも２点以上等しくすることができる。使用者は第一のスペースを確保するために把持部を大便器の前方側に回動させるだけで、立ち上がり動作を行うことができ、把持部と大便器との距離を少なくとも２点以上等しくすることができるため使用者は両肘が伸びた状態で立ち上がり動作を行うことができる。したがって大便器に着座した際と大便器から立ち上がる際に使用者の重心が左右方向に移動して転倒することを防止できる。
さらに、大便器と把持部との距離を少なくとも２点以上等しくすることで、使用者は把持部を掴む際に手の間隔を広くすることができ、重心を支える面積を広くすることができる。立ち上がり動作時に重心が左右方向に移動した場合であっても転倒することをさらに防止できる。より具体的には、重心を支える面以外に使用者の重心が移動した際に転倒が発生するため、重心を支える面積を広くすることで、使用者が姿勢を維持できる面積が広くなり、使用者が転倒することを防止することができる。
【００１６】
第三の発明の把持部は、把持部の上面の前方側が前方側上方に傾斜することで使用者が大便器から立ち上がる際の上方への移動をアシストする移動アシスト部を設けたことを特徴とする。
【００１７】
使用者が大便器から立ち上がり動作を行う際は、把持部に力を加えてその力の反発力をもとに使用者は立ち上がることができる。具体的な立ち上がり動作の過程として、一度重心を前方側に移動させることで手摺装置に体重をかけ、その後、斜め上方に体を動かすことで大便器から立ち上がりを行う。そこで、使用者の立ち上がり動作の斜め上方に移動する動作をアシストするために、把持部の上面の前方側を前方側上方に傾斜させることで、把持部の上面と使用者が把持部に力を加える使用者の手首の角度が垂直の関係に近づき、使用者は斜め上方に力を加え易くなり立ち上がり動作に必要な力を小さくすることができる。
【００１８】
第四の発明の使用者が把持する把持部の上面に対向する前方側の下面は、使用者が把持部を把持した際に指が掛かるような上面側に凹形状となる指掛け部を設けたことを特徴とする。
【００１９】
使用者は大便器からの立ち上がりが終了しても、車椅子に移動する姿勢を整える必要や、大便器から立ち上がり衣服を着るために把持部を掴んだ状態を維持する必要があり、比較的足の筋力が弱い車椅子使用者の重心が移動して立位姿勢の保持が不安定になってしまう。そこで、把持部の下面に使用者が把持部を把持した際に指が掛かるような指掛け部を設けることで、把持部を把持する際に指先に力を入れやすくし、指先の力と腕全体の力で立位姿勢を保持することができるようにした。したがって立位姿勢を整える状態や、衣服を着る動作時においても重心が移動することを抑制でき、転倒することを防止できる。
【００２０】
第五の発明の使用者が把持する把持部の上面に対向する前方側の下面は、使用者が把持部を把持した際に指が掛かるよう把持部の前方側の前記下面から後方側斜め上方に傾斜した指掛け部を設けたことを特徴とする。
【００２１】
使用者は大便器からの立ち上がりが終了しても、車椅子への移動するため姿勢を整えるために、把持部を掴んだ状態を維持することや、大便器から立ち上がり衣服を着るために把持部を掴んだ状態を維持するため、使用者の重心が移動して立位姿勢の保持が不安定になってしまう。そこで、把持部の下面に使用者が把持部を把持した際に指が掛かるような指掛け部を設けることで、把持部を把持する際に指先に力を入れやすくし、指先の力と腕全体の力で立位姿勢を保持することができるようにした。そのため、立位姿勢を整える状態や、衣服を着る動作時においても重心が移動することを抑制でき、転倒することを防止できる。
【発明の効果】
【００２２】
本発明によれば、大便器に着座した状態の姿勢保持動作をサポートするだけでなく、大便器への着座動作から大便器からの立ち上がり動作まで安定してサポートできるトイレ用手摺装置を提供することができる。
【図面の簡単な説明】
【００２３】
【図１】本発明の一実施形態に係るトイレ用手摺装置が設置されたトイレルームを模式的に示す斜視図である。
【図２】本発明の一実施形態に係るトイレ用手摺装置が設置されたトイレルームを模式的に示す側面図である。
【図３】本発明の一実施形態に係るトイレ用手摺装置が設置されたトイレルームを模式的に示す上面図である。
【図４】本実施形態のトイレ用手摺装置の第一のロック位置を例示する模式図である。
【図５】本実施形態のトイレ用手摺装置を利用して大便器に着座した状態の保持を例示する模式図である。
【図６】本実施形態のトイレ用手摺装置の第二のロック位置を例示する模式図である。
【図７】本実施形態のトイレ用手摺装置を利用して大便器からの立ち上がり動作を例示する模式図である。
【図８】本実施形態のトイレ用手摺装置の移動アシスト部を例示する側面図である。
【図９】本実施形態のトイレ用手摺装置の指かけ部を例示する側面図である。
【発明を実施するための形態】
【００２４】
以下、添付図面を参照しながら本発明の実施の形態について説明する。説明の理解を容易にするため、各図面において同一の構成要件に対しては、可能な限り同一の符合を付して、重複する説明は省略する。
【００２５】
本発明の一実施形態に係るトイレ用手摺装置について、図１乃至３を参照しながら説明する。図１は、本発明の一実施形態に係るトイレ用手摺装置が設置されたトイレルームを模式的に示す斜視図である。また、図２は本発明の一実施形態に係るトイレ用手摺装置が設置されたトイレルームを模式的に示す側面図である。また、図３は本発明の一実施形態に係るトイレ用手摺装置が設置されたトイレルームを模式的に示す上面図である。
【００２６】
図１乃至３に示すように、トイレルーム１００には、腰掛式の大便器１１０が設置されており、大便器１１０の前方に、本実施形態のトイレ用手摺装置１が設けられている。このトイレ用手摺装置１は、使用者１０００が把持することができる把持部２と、把持部２の一端側にトイレルーム１００の大便器１１０前方の空間を水平方向に回動可能とする回動軸部３を設けている。さらに、回動軸部３によって水平方向に回動される把持部２をロックするためのロック機構４を備えている。本実施例の一例として、具体的には図３のように、トイレ用手摺装置１の回動軸部３を使用者１０００が大便器１１０に着座した状態の右側のトイレルーム１００壁面に設け、回動軸部３を中心にして大便器１１０の前方のスペースを水平方向に回動させる。
【００２７】
回動軸部３は、使用者１０００が大便器１１０に着座した状態の右側のトイレルーム１００壁面に設けられる必要はなく、トイレ用手摺装置１の一端を中心軸として大便器１１０の前方スペースを水平方向に回動できればよい。従って、大便器１１０の前方スペースを水平方向に回動できれば、回動軸部３の設置場所は任意に設定できる。
【００２８】
トイレ用手摺装置１の把持部２は、大便器１１０の前方空間を水平方向に回動可能な構成となっており、ロック機構４によって、水平方向に回動可能な把持部２を所定の位置で回動をロックすることができる。所定の位置の具体例は図３のように、大便器１１０に着座した状態を保持することができる第一のロック位置５と、大便器へ着座する着座動作や大便器からの立ち上がる立ち上がり動作をサポートする第二のロック位置６である。
【００２９】
図４及び図５を参照して、使用者が大便器１１０に着座した状態を保持する姿勢保持動作について説明する。図４は、本実施形態のトイレ用手摺装置の第一のロック位置を例示する模式図である。図５は、本実施形態のトイレ用手摺装置を利用して大便器に着座した状態の保持を例示する模式図である。
使用者１０００が大便器１１０に着座している用便時の姿勢は、前傾の姿勢をとることが一般的である。そこで、大便器１１０に着座した状態を保持する第一のロック位置５を使用者１０００が大便器１１０に着座した状態の脚部上方の位置で回動をロックするように構成する。このような構成とすることで、使用者１０００はトイレ用手摺装置１の把持部２によって体重を支えることができるため、大便器１１０に着座した状態の姿勢保持動作がサポートされ安定した状態で姿勢を保持することができる。
なお、第一のロック位置５は、把持部２が大便器１１０前端上方から大便器１１０前方空間側１５０mmの間にあることが好ましい。
【００３０】
図６を参照して、第二のロック位置について説明する。
図６は、本実施形態のトイレ用手摺装置の第二のロック位置を例示する模式図である。
図６のように第二のロック位置６は、使用者１０００が大便器１１０に着座するためや大便器から立ち上がるために必要な第一のスペース７を確保しつつ、大便器１１０の左右方向に対して傾斜するようにして第一のロック位置５よりも前方側でロックするように構成する。なお、第二のロック位置６は大便器１１０の左右方向に対して２０度から５０度の範囲にあることが好ましい。
【００３１】
さらに、トイレ用手摺装置１の把持部２は、第二のロック位置６において、把持部２と大便器１１０の左右方向に直交する距離が少なくとも２点以上等しくなるような把持部等距離手段１０を備えている。
【００３２】
把持部等距離手段１０は、第一のロック位置５において、把持部２を大便器１１０の左右方向と直交する距離が異なる第一の把持部１２と第二の把持部１４となるように構成する。さらに、第二の把持部１４を第一の把持部１２よりも大便器１１０に近い位置に設けるように構成する。
このように構成することで、把持部２を第二のロック位置６でロックした場合、第二の把持部１４と大便器１１０の左右方向に直交する距離が２点以上等しくすることができる。
【００３３】
具体的に第二のロック位置での立ち上がり動作について図７を参照して説明する。
使用者１０００が大便器１１０から立ち上がる動作として図７（Ａ）のように、大便器１１０に着座した状態で把持部２を掴む。その後、使用者１０００は重心を把持部２の方向に移動させるために、図７（Ｂ）のように把持部２に力を加えて重心を把持部２の方向へ移動させる。把持部２の方向へ重心を移動させた使用者１０００は立位姿勢を取るために、図７（Ｃ）のように把持部２に力を加えて重心を斜め上方に移動させることで、使用者１０００は大便器１１０から立ち上がることができる。
【００３４】
図７（Ａ）のように、第一のスペース７を確保することによって、大便器１１０から立ち上がる際においても第一のスペース７を有していることから、立ち上がり動作に必要なスペースを確保することができ、安定した状態で立ち上がり動作を行うことができる。また、使用者１０００が大便器１１０に着座する動作時においても、把持部２が回動しすぎて着座動作に必要なスペースがなくなり把持部２に押されるようにして大便器１１０に倒れ込むことを防止することができる。
【００３５】
また、第一の把持部１２と第二の把持部１４を構成する把持部等距離手段１０を設けることで、大便器１１０の左右方向に対して斜めの位置でロックされる第二のロック位置６であっても、把持部２と大便器１１０の左右方向に直交する距離を少なくとも２点以上等しくすることができ、使用者１０００の両腕の肘が伸びた状態で把持部２に力を加えることができる。したがって、使用者１０００は把持部２に力を加えやすくなり使用者１０００の重心がずれて転倒することを防止できる。
【００３６】
図７（Ｂ）及び図８を参照して使用者が重心を斜め上方に移動させる動作について説明する。
図７（Ｂ）のように重心が前方側に移動した使用者１０００は、立位姿勢に近づけるために重心を斜め上方に移動させることが必要となるが、上方への重心移動は腕に大きな負担となる。そのため、使用者１０００が重心を斜め上方に移動させる際の動作をアシストする移動アシスト部２０を備えた。
【００３７】
移動アシスト部２０は、図８に示すように、把持部２の上面４０の前方側が前方側上方に傾斜させるように構成した。このような構成とすることで、使用者１０００の手首の角度と把持部２の移動アシスト部２０とが直角の関係に近づけられ使用者１０００が把持部２に前方側斜め下方に加えた力の反発力の全てが斜め上方の力となり、使用者１０００の重心移動をアシストすることができ、立ち上がり動作を行い易くなる。
【００３８】
図７（Ｃ）と図９を参照して大便器１１０から立ち上がった状態について説明する。
使用者１０００が大便器１１０から立ち上がった状態の立位姿勢を保持するために、把持部２の上面４０と対向する下面４１の前方側に指掛け部３０を設けた。
【００３９】
指掛け部３０は図９を参照して説明する。図９（Ａ）のように、把持部２の下面４１の前方側に使用者１０００が把持部２を把持した際に指が掛かるような凹形状の指掛け部３０を設けた。
図９（Ａ）とは別の形態である図９（Ｂ）は、把持部２の下面４１の前方側に使用者１０００が把持部２を把持した際に指が掛かるように把持部の下面４１前方から後方側に向って上方側に傾斜した指掛け部３０を設けた。
【００４０】
このように、指掛け部３０を設けることで、把持部２を把持する際に指掛け部３０に指を掛けることができるため指先に力が入れやすくなり、指先の力と腕全体の力で立位姿勢を保持することができる。したがって立位姿勢を整える状態や、衣服を着る動作時においても重心が移動することを抑制でき、転倒することを防止できる。
【００４１】
以上のような構成とすることで、大便器１１０に着座した状態の姿勢保持動作をサポートするだけでなく、大便器１１０への着座動作から大便器１１０からの立ち上がり動作まで安定してサポートできるトイレ用手摺装置１を提供することができる。
【符号の説明】
【００４２】
１：トイレ用手摺装置
２：把持部
３：回動軸部
４：ロック機構
５：第一のロック位置
６：第二のロック位置
７：第一のスペース
１０：把持部等距離手段
１２：第一の把持部
１４：第二の把持部
２０：移動アシスト部
３０：指掛け部
４０：上面
４１：下面
１００：トイレルーム
１１０：大便器
１０００：使用者
【図１】
2015160036.tif 000003
【図２】
2015160036.tif 000004
【図３】
2015160036.tif 000005
【図４】
2015160036.tif 000006
【図５】
2015160036.tif 000007
【図６】
2015160036.tif 000008
【図７】
2015160036.tif 000009
【図８】
2015160036.tif 000010
【図９】
2015160036.tif 000011